(57)【要約】【課題】本発明は、盛土堤防の効果の高い補強方法を提案する。【解決手段】河川等に設けられる堤防の骨格部であって、前記骨格部は柱形成用の部材１と梁及び壁形成用の部材２で形成され、部材１は垂直に積み重ね可能とされ、部材２は部材１間を連結し前記骨格部の梁と壁を形成し、部材１は盤体の表面に複数の突部が設けられ、裏面には前記突部と契合する凹部と部材２の契合部が設けられ、部材２は平板で、前記部材１に設けた突部間の隙間に嵌め込まれ、部材１と部材２には部材１を積み重ねて形成される柱間の距離を固定する固定部が設けられ、前記部材１を、突部を上方に向けて等間隔に配置し、部材２を突部間に形成される隙間と、最縁部に残された突部間に形成される隙間に嵌め込んで梁と壁面を形成して第1段目とし、第1段目の上に第２段目を形成することを繰り返して階段状に得られた堤防の骨格部である。【選択図】図1
2012077530.tif 000002
【特許請求の範囲】
【請求項１】
河川等に設けられる堤防の骨格部であって、当該骨格部の隙間に土砂を充填して堤防となすものであり、前記骨格部は柱形成用の部材１と梁及び壁形成用の部材２で形成され、部材１は垂直に積み重ね可能とされ、部材２は部材１間を連結し前記骨格部の梁と壁を形成し、部材１は盤体の表面に複数の突部が設けられ、裏面には前記突部と契合する凹部と部材２の契合部が設けられ、部材２は平板で、前記部材１に設けた突部間の隙間に嵌め込まれ、部材１と部材２には部材１を積み重ねて形成される柱間の距離を規定する距離規定部が設けられ、前記部材１を、突部を上方に向けて等間隔に配置し、部材２を突部間に形成される隙間と、最縁部に残された突部間に形成される隙間に嵌め込んで梁と壁面を形成して第1段目とし、第1段目の上に第２段目を形成することを繰り返して階段状に得られた堤防の骨格部。
【請求項２】
既存の堤防の改修方法であって、
堤防の一部を除去し、除去した空間に請求項1記載の骨格部１を形成する第一工程、第一工程で形成した骨格部１に隣接する堤防を切り崩して得られる土砂を骨格部１の隙間に充填して堤防を形成する第二工程、第二工程で得られた堤防を切り崩して得られた空間に、骨格部２を形成し、当該骨格部２の隙間に隣接する堤防を切り崩して得られる土砂を前記骨格部２の隙間に充填して堤防とする第三工程、以下第二工程と第三工程を順次繰り返す既存の堤防の補強方法。
【発明の詳細な説明】
【技術分野】
【０００１】
本発明は、河川等の堤防の新規な構造および本構造を用いる既存の堤防の改修方法に属する。
【背景技術】
【０００２】
水害の被害を防止する手段の一つとして堤防の補強がある。特開2000-120038には、適宜な容体にコンクリートを詰入れし、コンクリートの未硬化の状態で堤防の所定の位置に配設する方法が開示されている。特開2005-220721には、水を袋に入れ、短時間で長大な堤防フェンスを形成する方法が示されている。特開2010-24745には、河道側法面肩付近に堤防を構成する盛土地盤より止水性の高い矢板壁を打設し、民地側法面肩付近に透水性の高い矢板壁を設ける方法が開示されている。既存の盛土堤防に対する効果の高い補強方法を提案する。
【先行技術文献】
【特許文献】
【０００３】
【特許文献１】特開2000-120038
【特許文献２】特開2005-220721
【特許文献３】特開2010-24745
【発明の概要】
【発明が解決しようとする課題】
【０００４】
本発明は、盛土堤防の効果の高い補強方法を提案する。
【課題を解決するための手段】
【０００５】
本第１の発明は、河川等に設けられる堤防の骨格部であって、当該骨格部の隙間に土砂を充填して堤防となすものであり、前記骨格部は柱形成用の部材１と梁及び壁形成用の部材２で形成され、部材１は垂直に積み重ね可能とされ、部材２は部材１間を連結し前記骨格部の梁と壁を形成し、部材１は盤体の表面に複数の突部が設けられ、裏面には前記突部と契合する凹部と部材２の契合部が設けられ、部材２は平板で、前記部材１に設けた突部間の隙間に嵌め込まれ、部材１と部材２には部材１を積み重ねて形成される柱間の距離を規定する距離規定部が設けられ、前記部材１を、突部を上方に向けて等間隔に配置し、部材２を突部間に形成される隙間と、最縁部に残された突部間に形成される隙間に嵌め込んで梁と壁面を形成して第1段目とし、第1段目の上に第２段目を形成することを繰り返して階段状に得られた堤防の骨格部であり、
本第２の発明は、既存の堤防の補強方法であって、
堤防の一部を除去し、除去した空間に請求項1記載の骨格部１を形成する第一工程、第一工程で形成した骨格部１に隣接する堤防を切り崩して得られる土砂を骨格部１の隙間に充填して堤防を形成する第二工程、第二工程で得られた堤防を切り崩して得られた空間に、骨格部２を形成し、当該骨格部２の隙間に隣接する堤防を切り崩して得られる土砂を前記骨格部２の隙間に充填して堤防とする第三工程、以下第二工程と第三工程を順次繰り返す既存の堤防の補強方法である。
【発明の効果】
【０００６】
既存の盛土による堤防は、その本体は土砂を盛ったものであるため、水面下では河道の水が浸透し、内部は水で飽和している状態にあり洪水が発生し、堤防にかかる水圧が増大すると内部に水道ができ、崩壊に至る場合が生ずる。本堤防の骨格部は平板である部材２によって壁面が数層に形成され、水道の形成が妨げられるため盛土の堤防の崩壊が防げる。
【図面の簡単な説明】
【０００７】
【図１】は、骨格部の概念図である。
【図２】は、骨格部を形成する部材１を示す概念図である。
【図３】は、骨格部を形成する部材２を示す概念図である。
【図４】は、骨格部を形成する手順を示す概念図である。
【図５】は、既存の盛土堤防を補強する手順を示す概念図である。
【発明を実施するための形態】
【実施例１】
【０００８】
以下本発明を、図を用いて、より詳細に説明する。
図１は、本発明による盛土堤防の骨格部を示す概念図である。図に示すように本骨格部は柱部を形成する部材１と骨格部の梁部および壁部を形成する部材２から構成される。
部材1は上下に重ねて柱を形成できるようにされていると同時に、梁部および壁部を形成する部材２を嵌められるようになっている。そのため骨格部は等間隔に配置された柱部を、梁部および壁部で連結した構造となり、梁部および壁部を全て所定の位置に嵌めることで四面を部材２で覆われた筒が立ち並ぶ構造となる。
【０００９】
以下、骨格部を形成する部材1、および部材２を説明する。図２ａは表面から見た図であり、図２ｂは裏面から見た図である。
図２に示す部材１は、盤体の表面より４本の突部が突出し、裏面には前記突部の頂部が挿入可能な凹部が形成されている。
４本の柱部は正方形を形成するように、中心に対し対称に設けられている。突部は直方体であり、突部と突部が形成する隙間に平板状の部材２の端部が嵌るようになっている。
【００１０】
図３は、部材２の例を示す概念図である。本部材２は平板状であり、その両端部の厚みは部材１の突部と突部が形成する隙間に嵌る厚みに設定されている。
部材２の長さは上部と下部ではその長さが異なり、下部の長さが部材１で形成された柱部間の距離を規定している。即ち、部材２の下部の長さが、部材１が形成する柱間距離を定める。また部材２の下部の高さは部材１の盤体部の厚みに等しく設定されている。こうすることで図４に示すように骨格部の梁部は上から下まで隙間なく形成される。
【００１１】
図３ａに示す部材２は、上部が平坦に形成され、部材１の盤体部の下面に沿うように嵌め込まれる。図３ｂに示す部材２は、上部上辺縁部に突部が設けられ、部材１の盤体の下面に設けられた凹部に嵌合するようになっている。
【００１２】
図４は、上記図２に示した部材１および図３ｂに示した部材２を用いた骨格部の形成手順を示している。
図４ａに示すように部材１を部材２の下部の長さに等しい距離を置いて並べる。図４ｂに示すように２つの部材１の突部間にＸ方向に部材２の端部を嵌めこむ。図では単純化するため２行３列の部材１しか表示していないが、実際には堤防の形状に応じた大きさの骨格部となる必要な個数の部材１をＸ方向およびＹ方向に配列する。
さらに図４ｃに示すようにＹ方向に部材２を上記と同様に嵌め込む。所定数配列された部材１に部材２をＸ、Ｙ方向に嵌め込み第１段目を形成する。
【００１３】
第１段目が形成されたら、部材１をその上に重ねる。部材１の裏面に設けた凹部は表面に設けた４つの突部の頂部が嵌め込めるように形成されているので、部材２の部材１との契合用部ごとまとめて嵌め込みが可能である。第１段目と同様第２段目を形成し、順次最終段まで形成して骨格部とする。
【００１４】
上記の骨格部の形成は部材１の部材２の挿入可能な部分に全て挿入しているが、少なくとも堤防に平行な部分には部材２を梁材および壁材として挿入する事が水の浸透を遮断するためにも好ましい。堤防に垂直な方向には要求される骨格部の強度を勘案して必要な箇所に挿入することができる。
【００１５】
図５は、上記骨格部を使用した既存の盛土堤防の補強方法を示す概念図である。
堤防の一部を除去し、除去した空間に上記の骨格部１を形成して第一工程とする。第一工程で形成した骨格部１に隣接する堤防を切り崩して得られる土砂を骨格部１の隙間に充填して堤防を再築形成して第二工程とする。第二工程で得られた堤防を切り崩して得られた空間に、骨格部２を形成し、当該骨格部２の隙間に隣接する堤防を切り崩して得られる土砂を前記骨格部２の隙間に充填して堤防を再築して第三工程とする。以下第二工程と第三工程を順次繰り返すことで既存の堤防は補強された堤防として再築される。
【００１６】
部材１および部材２はコンクリート製あるいはフィラーを充填した樹脂製とすることができる。
【産業上の利用可能性】
【００１７】
盛土堤防の新築および補強に利用可能である。
【符号の説明】
【００１８】
１  部材１
２  部材２
１１  突部
１２  凹部
１３  盤体部
１４  部材２の部材１との契合部
２１  部材２の上部
２２  部材２の下部
３  柱部
４  梁・壁
【図１】
2012077530.tif 000003
【図２】
2012077530.tif 000004
【図３】
2012077530.tif 000005
【図５】
2012077530.tif 000006
【図４】
2012077530.tif 000007